(57)【特許請求の範囲】
【請求項１】
機体の前部がわに籾の摺落部を設けて後部がわに摺落物を風選する吸引風選部を各々配置し、吸引排塵ファンに連通する吸引風選部を穀粒滞留部の上手がわと下手がわとに分別する１次風選路と２次風選路にし、穀粒滞留部には２次風選路に向け跳出す跳出羽根を設け、蛇行する２次風選路の後壁を跳出した混合米の衝撃面にし、前壁の上部には風路の変更面を形成した籾摺選別機の摺落物風選装置において、跳出羽根（７）を回転軸（１３）に軸着する基部がわ（７ａ）と鉄板製の跳出板で構成する先端がわ（７ｂ）とに分割し、基部がわ（７ａ）に分割した先端がわ（７ｂ）を回転方向と逆方向に回動自在に連結したことを特徴とする籾摺選別機の摺落物風選装置。
【発明の詳細な説明】
【０００１】
【発明の属する技術分野】
本発明は、籾摺選別機の摺落物を風選する風選装置に関するものである。
【０００２】
【従来の技術】
従来、機体の前部がわに籾の摺落部を該摺落部の後部がわに摺落物を風選する吸引風選部を、また、吸引風選部の後方がわに揺動選別部を配置して籾から玄米を得るもので、その吸引風選部の構成を摺落部における流下樋の途中に形成した穀粒滞留部の上手がわと下手がわとから１次風選路と２次風選路を後傾状態に立設して上部の吸引排塵ファンに連通し、穀粒滞留部には２次風選路に向けて跳出す跳出羽根を設けたものは、特開２０００−１５１１９号公報により公開されているところである。また、籾摺選別機で分離した粃米を揚穀機で籾ホッパー側あるいは吸塵通路を介した吸引ファン側に切替える粃米切替弁を放出口に装備し、ホッパー内に案内された粃米を反射板に衝突させ、分散する粃米から塵埃を効率良く吸塵通路に吸引除去できるようにした粃米処理装置が特開平５−２４５４４３号公報に開示されている。
【０００３】
【発明が解決しようとする課題】
上記公報に記載された摺落物の風選技術によれば、１次風選路によって摺落物中の籾殻が吸引排出されたあとの玄米と籾と粃等の混合したものが跳出羽根によって２次風選路に跳出され吸引排塵ファンにより起風される吸引風により玄米と籾の混合米と粃に選別されるものであるが、穀粒滞留部から跳出される摺落物に混入した小石や異物を前記跳出羽根先と滞留部の隙間で噛み込み、羽根の変形や破損が生じ跳出し作用が著しく低下して放出方向が乱れ、玄米と籾の混合米と粃の選別および粃に含まれる粉塵の選別除去が充分に行われないのである。
【０００４】
【課題を解決するための手段】
そこで、本発明は機体の前部がわに籾の摺落部を設けて後部がわに摺落物を風選する吸引風選部を各々配置し、吸引排塵ファンに連通する吸引風選部を穀粒滞留部の上手がわと下手がわとに分別する１次風選路と２次風選路にし、穀粒滞留部には２次風選路に向け跳出す跳出羽根を設け、蛇行する２次風選路の後壁を跳出した混合米の衝撃面にし、前壁の上部には風路の変更面を形成した籾摺選別機の摺落物風選装置において、跳出羽根を回転軸に軸着する基部がわと鉄板製の跳出板で構成する先端がわとに分割し、基部がわに分割した先端がわを回転方向と逆方向に回動自在に連結した摺落物風選装置にしたので、跳出すとき摺落物中に混入する小石等の異物の噛み込みによって衝撃を受けると、逆方向に羽根先が回動して基部がわに退入することで衝撃が和らぎ、変形や破損が生じない跳出羽根にする手段を講じた。
【０００５】
【発明の実施の形態】
【実施例】
以下、本発明による摺落物風選装置に関して実施例図を参照し具体的に説明すると、この籾摺選別機は、機体（１）の前部がわに籾の摺落部（Ａ）を摺落部（Ａ）の後部がわに摺落物を風選する吸引風選部（Ｂ）を配置し、その吸引風選部（Ｂ）の後側に混合米を選別する揺動選別部（Ｃ）を設けて揺動式の籾摺選別機を構成している。
【０００６】
摺落部（Ａ）は籾タンク（１４）と一対の脱ぷロ−ル（１５）等を備えて籾タンク（１４）内から落下する籾を摺落し、その摺落物を脱ぷロ−（１５）の下方に斜設した流下樋（２）で受けて吸引風選部（Ｂ）がわに流下させ、流下樋（２）の途中に底部を湾曲面にした穀粒滞留部（３）を形成し、この穀粒滞留部（３）内に摺落物の流下方向と直交する回転軸（１３）に軸着する跳出羽根（７）が設けられて斜め上向きの跳出路（１６）から後述する吸引風選部（Ｂ）の２次風選路（５）に斜め上方に向けて跳出すようにしている。
【０００７】
吸引風選部（Ｂ）は上部に吸引排塵ファン（６）を設置し、この吸引排塵ファン（６）に前記穀粒滞留部（３）をはさんで流下樋（２）の上手がわと下手がわとから背中合わせにし稍々後傾状態に立設するところの１次風選路（４）と２次風選路（５）を連通し、流下樋（２）の流下終端部は横設する混合米横送樋（１７）に接続するとともに、２次風選部（５）上部の後側には粃取出路（１２）を設け、その粃取出路（１２）の下側に粃横送樋（１８）を横設している。なお、（１９）（２０）は網目で形成した吸風口である。
【０００８】
即ち、流下樋（２）を流下する摺落物は吸風口（１９）から１次風選路（４）内を上昇する吸引風によりその摺落物中の籾殻が吸引排出されて除去されたあと玄米と籾および粃等が穀粒滞留部（３）に入り跳出羽根（７）によって２次風選路（５）に斜め上方に向けて跳出され、吸風口（２０）から上昇する吸引風によって選別されて玄米と籾の混合米は混合米横送樋（１７）に流入し粃は粃取出路（１２）から粃横送樋（１８）に落下して粃排出樋（２１）から機外に取出される。
【０００９】
前記の２次風選路（５）は蛇行させて、この風選路（５）を形成している後壁（８）の中途部に跳出羽根（７）により跳出されるものが激突する衝撃面（９）を形成し、また、前壁（１０）の上部には後方に向けて方向変換させる変向面（１１）を構成している。
【００１０】
これにより、図２に示すように、跳出羽根（７）によって矢印（ハ）のように２次風選路（５）に跳出されるものは衝撃面（９）に激突して（ニ）のように拡散し、重い玄米と籾は（ホ）のように落下して混合米横送樋（１７）に流入し、粉塵を含む比較的軽量な粃は上昇する吸引風によって玄米と籾とから分離して（ヘ）のように上昇する。そして、この上昇するものが変向面（１１）によって（ト）のように後方に向け方向変換させられ、粃は上昇する吸引風の作用域を出て粉塵と分離し粃取出路（１２）に落入し、粉塵は吸引風と共に吸引排塵ファン（６）に吸引されて機外に排出されるのである。
【００１１】
揺動選別部（Ｃ）は混合米タンク（２２）内の混合米を数段に積み重ねリンクにより支承し揺動する選別盤（２３）・・によって手前がわに徐々に流動させる間に玄米を揺上がわに籾を揺下がわに玄米と籾の混合米を揺上がわと揺下がわの中間部に偏流させて選別するのである。
【００１２】
即ち、前記混合米横送樋（１７）内を横送され混合米スロワ−（２４）により混合米タンク（２２）に揚上された混合米を各選別盤（２３）・・の揺動運動により選別し、玄米仕切板（２５）から揺上がわの玄米ゾ−ン（ａ）からは玄米を、籾仕切板（２６）から揺下がわの籾ゾ−ン（ｂ）からは籾を、また、玄米仕切板（２５）と籾仕切板（２６）の間の混合米ゾ−ン（ｃ）からは混合米がそれぞれ流出して選別されるのである。
【００１３】
（２７）は前記の玄米ゾ−ン（ａ）から流出するものを受ける玄米樋、（２８）は混合米横送樋（１７）の前記流下樋（２）が接続するがわと反対がわに接続する混合米流穀板で、混合米ゾ−ン（ｃ）から出るものを受けて混合米横送樋（１７）に返し混合米スロワ−（２４）により揚上して再選別し、籾ゾ−ン（ｂ）から流出するものは籾受（２９）から籾還元スロワ−（３０）により籾タンク（１４）に返して再脱ぷするのである。
【００１４】
前記の玄米樋（２７）は混合米流穀板（２８）に連結して接続するとともに、その玄米樋（２７）の接続部近くに落下口（３１）を開口し、また、玄米樋（２７）の下方にはＶ形をした小形の玄米風選室（３２）を形成してこの玄米風選室（３２）と玄米樋（２７）内を落下口（３１）を介して連通し、落下口（３１）に切替板（３３）が起伏可能に装着されて、切替板（３３）の起立操作によって落下口（３１）が開き倒伏により閉じるのである。
【００１５】
また、機体（１）の後壁には吸気口（３４）を開口して切替板（３３）を開にすることにより、吸気口（３４）から外気を吸入して玄米風選室（３２）内を通過し落下口（３１）を通って吹き上げ混合米流穀板（２８）上を経て前記２次風選路（５）の始端がわに向かう外気吸引風路（３５）を形成し、前記切替板（３３）の起伏操作は籾タンク（１４）脇に装着した切替レバ−（３６）の前後動操作により行わせている。
【００１６】
なお、（３７）は籾タンク（１４）のシャッタ−開閉用のシャッタ−レバ−、（３８）は玄米風選室（３２）の底部に開口する取出口、（３９）は玄米スロワ−である。
【００１７】
したがって、籾摺作業の開始時、または、終了近くにおいては、切替レバ−（３６）を操作し切替板（３３）を倒伏して落下口（３１）を閉にすると、玄米ゾ−ン（ａ）から流出するものは玄米樋（２７）を流下して混合米流穀板（２８）に引き継がれ混合米横送樋（１７）に流入して機内を循環し、選別盤（２３）による選別が安定すれば切替レバ−（３６）により切替板（３３）を起立させると、落下口（３１）は開口して玄米樋（２７）を流下する玄米は玄米風選室（３２）に落下し、外気吸引風路（３５）を吹流する吸引風により玄米中に含まれる粉塵は落下口（３１）を吸引風と共に吹き抜けて吸引風選部（Ｂ）の２次風選路（５）に吸引され吸引排塵ファン（６）から機外に排出され、粉塵が除去された仕上玄米は取出口（３８）から流出し玄米スロワ−（３９）によって適所に取出される。
【００１８】
次に、前記の穀粒滞留部（３）に設ける跳出羽根（７）の詳細について、まず、図６と図７により記載すると、この跳出羽根（７）は基部がわ（７ａ）と先端がわ（７ｂ）とに分割し、２枚の基部がわ（７ａ）を回転軸（１３）の周面に長穴（４０）に挿通する固定ボルト（４１）により締め付けて軸着し互いに反対方向に向けて突設し、この突設した基部がわ（７ａ）に分割した先端がわ（７ｂ）を蝶番（４２）により回動自在に連結して構成している。
【００１９】
前記基部がわ（７ａ）と先端がわ（７ｂ）は何れも板体にして鉄板製のもので、その先端がわ（７ｂ）を基部がわ（７ａ）に蝶着するのに、基部がわ（７ａ）の回転方向（イ）に対する後行面（４３）がわで先端より若干引っ込めた箇所に蝶番（４２）の連結ピン（４２ａ）を位置させて取付けることにより、先端がわ（７ｂ）が回転遠心力により基部がわ（７ａ）から延長する直線状態と連結ピン（４２ａ）を軸にして回転方向（イ）と逆方向に回動自在にし、先端がわ（７ｂ）が基部がわ（７ａ）に対して折曲し退入する状態になるようにするとともに、連結ピン（４２ａ）の位置を基部がわ（７ａ）の後行面（４３）がわで先端より若干引っ込めることによって基部がわ（７ａ）の先端部（４４）は先端がわ（７ｂ）を直線状態から回転方向（イ）がわに過回動するのを阻止している。
【００２０】
これによって、穀粒滞留部（３）に流入した玄米と籾および粃等は回転遠心力により先端がわ（７ｂ）が基部がわ（７ａ）から延長する直線状態になって跳出路（１６）から２次風選路（５）に跳出すのである。
【００２１】
このとき、跳出すものの中に小石等の異物が混入していると、この異物の衝撃により先端がわ（７ｂ）は仮想線（チ）で示すように回転方向と逆方向に回動して折曲退入し、その退入のあと回転遠心力によって元の状態に復して跳出しを続行するのである。
【００２２】
また、図８は跳出羽根（７）の他の実施例を示したもので、基部がわ（７ａ）を回転軸（１３）から長く延出して基部がわ（７ａ）の回転軌跡（ロ）を大にし、これに先端がわ（７ｂ）を前記と同様に蝶番（４２）により回転方向（イ）と逆方向にのみ回動自在に連結し、異物の衝撃を受けると仮想線（チ）のように退入するようにしたのである。
【００２３】
そうすると、異物の衝撃によって先端がわ（７ｂ）が退入しても基部がわ（７ａ）の回転軌跡（ロ）が大であるが故に、跳出し作用が極端に低下しないのである。
【００２４】
【発明の効果】
本発明は、以上説明したような形態で実施され、次に記載するような効果を奏する。
【００２５】
即ち、機体の前部がわに籾の摺落部を設けて後部がわに摺落物を風選する吸引風選部を各々配置し、吸引排塵ファンに連通する吸引風選部を穀粒滞留部の上手がわと下手がわとに分別する１次風選路と２次風選路にし、穀粒滞留部には２次風選路に向け跳出す跳出羽根を設け、蛇行する２次風選路の後壁を跳出した混合米の衝撃面にし、前壁の上部には風路の変更面を形成した籾摺選別機の摺落物風選装置において、跳出羽根を回転軸に軸着する基部がわと鉄板製の跳出板で構成する先端がわとに分割し、基部がわに分割した先端がわを回転方向と逆方向に回動自在に連結した摺落物風選装置にしたので、跳出すとき摺落物中に混入する小石等の異物の噛み込みによる衝撃を受けると逆方向に羽根先が回動し、基部がわに退入するから衝撃が和らぎ変形や破損が生じず、跳出し作用の著しい低下が防止されてムラのない状態で摺落物を跳出すことができる。
【図面の簡単な説明】
【図１】  揺動式の籾摺選別機の内部を示す側面図である。
【図２】  同籾摺選別機の作用説明図である。
【図３】  同籾摺選別機の外観側面図である。
【図４】  同平面図である。
【図５】  同後面図である。
【図６】  跳出羽根の詳細側面図である。
【図７】  跳出羽根の斜視図である。
【図８】  跳出羽根の他の実施例のものを示す側面図である。
【符号の説明】
Ａ    摺落部
Ｂ    吸引風選部
１    機体
２    流下樋
３    穀粒滞留部
４    １次風選路
５    ２次風選路
６    吸引排塵ファン
７    跳出羽根
７ａ    基部がわ
７ｂ    先端がわ
８    後壁
９    衝撃面
１０    前壁
１１    変向面
１２    粃取出路
１３    回転軸
イ    回転方向
ロ    回転軌跡
【図１】
0004298882.tif 000002
【図２】
0004298882.tif 000003
【図３】
0004298882.tif 000004
【図４】
0004298882.tif 000005
【図５】
0004298882.tif 000006
【図６】
0004298882.tif 000007
【図７】
0004298882.tif 000008
【図８】
0004298882.tif 000009